(57)【特許請求の範囲】
【請求項１】
ー方向に並べて配置された第１，第２の少なくとも２つの燃焼部と、これら燃焼部の上方に配置された熱交換部とを備え、
上記熱交換部は、上記第１，第２の燃焼部の真上にそれぞれ配置された第１、第２の少なくとも２つの領域を共通のフレーム内に有し、
上記熱交換部の第１，第２の領域は、これら領域の並び方向に延びるとともにこの並び方向と直交する方向に並べられた多数のフィンプレートと、互いに別系統をなす第１，第２の系統の通水管をそれぞれ有し、
各系統の通水管は、上記フィンプレートを貫通し且つ上記領域の並び方向に配列された複数の直管部を有し、
上記第１系統の通水管の入口端が給水管に接続され、出口端が給湯管に接続されることにより、熱交換部の第１領域およびこれに対応する第１燃焼部が給湯用に提供され、
上記第１，第２領域の境界の近傍において、第１系統の通水管の直管部の少なくとも一つと第２系統の通水管の直管部の少なくとも一つがその長手方向に沿って互いに接しており、
しかも、上記の互いに接した２つの直管部が、上記領域の境界の近傍において給湯用の第１領域に配設され、上記の互いに接した２つの直管部が上下に重ねられており、下側に第１系統の直管部，上側に第２系統の直管部が配置されていることを特徴とする燃焼装置。
【請求項２】
上記第２系統の通水管の入口端が、浴槽からの復路管に接続され、出口端が浴槽への往路管にそれぞれ接続されることにより、熱交換部の第２領域およびこれに対応する第２燃焼部が風呂追焚用に提供されることを特徴とする請求項１に記載の燃焼装置。
【請求項３】
ー方向に並べて配置された第１，第２の少なくとも２つの燃焼部と、これら燃焼部の上方に配置された熱交換部とを備え、
上記熱交換部は、上記第１，第２の燃焼部の真上にそれぞれ配置された第１、第２の少なくとも２つの領域を共通のフレーム内に有し、
上記熱交換部の第１，第２の領域は、これら領域の並び方向に延びるとともにこの並び方向と直交する方向に並べられた多数のフィンプレートと、互いに別系統をなす第１，第２の系統の通水管をそれぞれ有し、
各系統の通水管は、上記フィンプレートを貫通し且つ上記領域の並び方向に配列された複数の直管部を有し、
上記第１，第２領域の境界の近傍において、第１系統の通水管の直管部の少なくとも一つと第２系統の通水管の直管部の少なくとも一つがその長手方向に沿って互いに接しており、
上記の互いに接した２つの直管部のうち、少なくとも第２系統に属する直管部は、この第２系統の通水管の入口端に最も近いものであることを特徴とする燃焼装置。
【請求項４】
上記の互いに接した２つの直管部のうち第１系統に属する直管部も、この第１系統の通水管の入口端に最も近いものであることを特徴とする請求項３に記載の燃焼装置。
【請求項５】
ー方向に並べて配置された第１，第２，第３の燃焼部と、これら燃焼部の上方に配置された熱交換部とを備え、
上記熱交換部は、上記第１，第２，第３の燃焼部の真上にそれぞれ配置された第１、第２，第３の領域を共通のフレーム内に有し、上記第３領域は、第２領域の反対側において第１領域に隣接し、
上記熱交換部の第１，第２，第３の領域は、これら領域の並び方向に延びるとともにこの並び方向と直交する方向に並べられた多数のフィンプレートと、互いに別系統をなす第１，第２，第３の系統の通水管をそれぞれ有し、
各系統の通水管は、上記フィンプレートを貫通し且つ上記領域の並び方向に配列された複数の直管部を有し、
上記第１，第２領域の境界の近傍において、第１系統の通水管の直管部の少なくとも一つと第２系統の通水管の直管部の少なくとも一つがその長手方向に沿って互いに接しており、
上記第１，第３領域の境界の近傍において、第１系統の通水管の直管部の少なくとも一つと第３系統の通水管の直管部の少なくとも一つがその長手方向に沿って互いに接していることを特徴とする燃焼装置。
【発明の詳細な説明】
【０００１】
【発明が属する技術分野】
本発明は、給湯、風呂追焚等、複数の用途に用いられる燃焼装置に関する。
【０００２】
【従来の技術】
従来、給湯と風呂追焚の両方を行える燃焼装置には、大別して２缶２水型と、１缶２水型がある。
２缶２水型の燃焼装置は、２つの独立した熱交換部と、これら熱交換部に対応する燃焼部とを備えている。各熱交換部は、多数の垂直フィンプレートと、これを貫通する通水管とを備えている。給湯を行う時には、一方の燃焼部で燃焼を行い、これに対応する熱交換部の通水管に給水管からの水を通して給湯を行う。風呂の追焚を行う時には、他方の燃焼部で燃焼を行い、これに対応する熱交換部の通水管に浴槽の水を通して追焚を行う。
上記２缶２水型の燃焼装置では、給湯と風呂追焚を互いに干渉させることなく実行でき、高性能である。しかし、２つの独立した燃焼ユニットを必要とするので装置が大型になるとともに高価であった。
【０００３】
ー般的な１缶２水型の燃焼装置は、給湯、風呂追焚に共通の熱交換部と燃焼部をーつずつ備えている。熱交換部は、多数のフィンプレートに、給湯用と風呂追焚用の２本の通水管を貫通することにより構成されている。これら２本の通水管は上下に別れて配置されている。この装置では、給湯、風呂追焚のいずれを実行する時でも、同じ燃焼部で燃焼が行われ、同じ熱交換部が加熱される。給湯が実行される時には、給水管からの水が熱交換部の給湯用通水管を通る。風呂追焚が実行される時には、浴槽からの水が熱交換部の風呂追焚用通水管を通る。
【０００４】
上記１缶２水型の燃焼装置は、給湯と風呂追焚を共通の構成要素で実行するため、構成が簡単になり安価となる。しかし、上記給湯と風呂追焚が互いに干渉し合う欠点があった。例えば、給湯だけが行われている時、風呂追焚用通水管に溜まっていた水も加熱される。同様に、風呂追焚だけが行われている時、給湯用通水管に溜まっている水も加熱される。そのため、熱交換効率が悪かった。また、風呂追焚時に給湯用通水管に溜まった水が加熱され続けて高温になると、給湯の初期に所望温度より高い湯が出ることがあった。
【０００５】
特公平２−１７７８４号公報には、本発明に最も近い構造を有する１缶２水型の燃焼装置が開示されている。この燃焼装置は、１つのフレーム内に、給湯と風呂追焚のための熱交換部が、それぞれ左右に別れて配置されており、これら熱交換部に対応する燃焼部がその真下に配置されている。この構成では、給湯と風呂追焚の相互干渉が小さくなり、上述した２缶２水型に近い性能となるにも拘わらず、２つの熱交換部が１つのフレーム内に収まるため、２缶２水型に比べて小型で安価である。
【０００６】
【発明が解決しようとする課題】
しかし、上記公報の装置では、給湯用の熱交換部と風呂追焚用の熱交換部が接近した関係にあるため、給湯側を停止した状態で風呂の追焚を行っている場合、風呂追焚用燃焼部の火炎にあぶられて、給湯用の熱交換部の通水管に滞留している水が加熱され、次に給湯を開始した際に、開栓直後に高温の湯が出る可能性があった。
【０００７】
【課題を解決するための手段】
請求項１の発明に係わる燃焼装置は、ー方向に並べて配置された第１，第２の少なくとも２つの燃焼部と、これら燃焼部の上方に配置された熱交換部とを備え、上記熱交換部は、上記第１，第２の燃焼部の真上にそれぞれ配置された第１、第２の少なくとも２つの領域を共通のフレーム内に有し、上記熱交換部の第１，第２の領域は、これら領域の並び方向に延びるとともにこの並び方向と直交する方向に並べられた多数のフィンプレートと、互いに別系統をなす第１，第２の系統の通水管をそれぞれ有し、各系統の通水管は、上記フィンプレートを貫通し且つ上記領域の並び方向に配列された複数の直管部を有し、上記第１系統の通水管の入口端が給水管に接続され、出口端が給湯管に接続されることにより、熱交換部の第１領域およびこれに対応する第１燃焼部が給湯用に提供され、上記第１，第２領域の境界の近傍において、第１系統の通水管の直管部の少なくとも一つと第２系統の通水管の直管部の少なくとも一つがその長手方向に沿って互いに接しており、しかも、上記の互いに接した２つの直管部が、給湯用の第１領域に配設され、上記の互いに接した２つの直管部は、上下に重ねられており、下側に第１系統の直管部，上側に第２系統の直管部が配置されていることを特徴とする。
【０００９】
請求項２の発明は、請求項１に記載の燃焼装置において、上記第２系統の通水管の入口端が、浴槽からの復路管に接続され、出口端が浴槽への往路管にそれぞれ接続されることにより、熱交換部の第２領域およびこれに対応する第２燃焼部が風呂追焚用に提供されることを特徴とする。
請求項３の発明に係わる燃焼装置は、ー方向に並べて配置された第１，第２の少なくとも２つの燃焼部と、これら燃焼部の上方に配置された熱交換部とを備え、上記熱交換部は、上記第１，第２の燃焼部の真上にそれぞれ配置された第１、第２の少なくとも２つの領域を共通のフレーム内に有し、上記熱交換部の第１，第２の領域は、これら領域の並び方向に延びるとともにこの並び方向と直交する方向に並べられた多数のフィンプレートと、互いに別系統をなす第１，第２の系統の通水管をそれぞれ有し、各系統の通水管は、上記フィンプレートを貫通し且つ上記領域の並び方向に配列された複数の直管部を有し、上記第１，第２領域の境界の近傍において、第１系統の通水管の直管部の少なくとも一つと第２系統の通水管の直管部の少なくとも一つがその長手方向に沿って互いに接しており、上記の互いに接した２つの直管部のうち、少なくとも第２系統に属する直管部は、この第２系統の通水管の入口端に最も近いものであることを特徴とする。
請求項４の発明は、請求項３に記載の燃焼装置において、上記の互いに接した２つの直管部のうち第１系統に属する直管部も、この第１系統の通水管の入口端に最も近いものであることを特徴とする。
【００１０】
請求項５の発明に係わる燃焼装置は、ー方向に並べて配置された第１，第２，第３の燃焼部と、これら燃焼部の上方に配置された熱交換部とを備え、上記熱交換部は、上記第１，第２，第３の燃焼部の真上にそれぞれ配置された第１、第２，第３の領域を共通のフレーム内に有し、上記第３領域は、第２領域の反対側において第１領域に隣接し、上記熱交換部の第１，第２，第３の領域は、これら領域の並び方向に延びるとともにこの並び方向と直交する方向に並べられた多数のフィンプレートと、互いに別系統をなす第１，第２，第３の系統の通水管をそれぞれ有し、各系統の通水管は、上記フィンプレートを貫通し且つ上記領域の並び方向に配列された複数の直管部を有し、上記第１，第２領域の境界の近傍において、第１系統の通水管の直管部の少なくとも一つと第２系統の通水管の直管部の少なくとも一つがその長手方向に沿って互いに接しており、上記第１，第３領域の境界の近傍において、第１系統の通水管の直管部の少なくとも一つと第３系統の通水管の直管部の少なくとも一つがその長手方向に沿って互いに接していることを特徴とする。
【００１１】
【発明の実施の形態】
以下、本発明の一実施形態を図面を参照しながら説明する。図１は、給湯と風呂追焚の２つの機能を有する１缶２水型の燃焼装置を示す。この燃焼装置は、排気ユニット１０と、熱交換ユニット２０と、バーナユニット３０と、ファン４０とを上から順に連接することにより構成されている。
【００１２】
バーナユニット３０は、上端が開口した箱形状のフレーム３１と、このフレーム３１内に収容された多数のエレメント群からなるバーナ３２とを備えている。フレーム３１の底壁に上記ファン４０が取り付けられている。バーナ３２は、２つの領域に分けられ、それぞれが給湯用燃焼部３２ａと追焚用燃焼部３２ｂとなっている。これら燃焼部３２ａ、３２ｂは、図１において左右方向（Ｘ軸方向）に並んで配置されている。バーナユニット３０へガスを供給する手段５０は、主管５１と、この主管５１から分岐した２つの分岐管５２、５３とを有している。主管５１には、主電磁開閉弁５４と電磁比例弁５５が設けられており、分岐管５２、５３には、それそれ補助電磁開閉弁５６、５７が設けられている。
【００１３】
２つの分岐管５２、５３からのガスはノズルブロック５８を介してバーナ３２の燃焼部３２ａ、３２ｂにそれぞれ供給される。各燃焼部３２ａ、３２ｂにはファン４０からの空気も導入される。各燃焼部３２ａ、３２ｂでは、供給されたガスと空気が混合されて上面の炎口から噴出され、これにより燃焼が行われるようになっている。フレーム３１の内部空間においてバーナ３２の上下はバイパス通路６０により結ばれており、このバイパス通路６０には風量センサ６１が設けられている。この風量センサ６１は、バーナ３２を通るファン４０からの空気量を検出し、この検出信号をファン４０のフィードバック制御のために提供する。
【００１４】
熱交換ユニット２０は、横断面矩形をなし上下端が開口したフレーム２１と、フレーム２１に収容された熱交換部２２とを備えている。フレーム２１の上部は、熱交換部２２を保持するための保持胴２１ｘとなり、下部は燃焼胴２１ｙとして提供される。燃焼胴２１ｙは、バーナユニット３０のフレーム３１に連結されている。
【００１５】
上記熱交換部２２は、給湯用領域２２ａ（第１領域）と、風呂追焚用領域２２ｂ（第２領域）とを有している。これら領域２２ａ、２２ｂはＸ軸方向に並んでおり、給湯用領域２２ａが給湯用燃焼部３２ａの真上に配置され、風呂追焚用領域２２ｂが風呂追焚用燃焼部３２ｂの真上に配置されている。これら領域２２ａ，２２ｂの境界は、燃焼部３２ａ，３２ｂの境界の真上に位置しており、図において符号Ｐで示す。
【００１６】
次に、熱交換部２２の構造について詳述する。図３に示すように、熱交換部２２は、フレーム２１の保持胴２１ｘ内に収容された多数の同形状の薄い共通プレート２５を有している。この共通プレート２５は垂直をなしＸ軸方向に長く延びて形成され、Ｙ軸方向（Ｘ軸方向と直交する水平方向）に互いに等しい間隔をおいて並べられている。
【００１７】
各共通プレート２５は、図２に示すように、給湯用領域２２ａに位置する第１フィンプレート２５ａと風呂追焚用領域２２ｂに位置する第２フィンプレート２５ｂと一体に有している。第１フィンプレート２５ａと第２フィンプレート２５ｂの境界Ｐ上には、必要に応じて、第１フィンプレート２５ａと第２フィンプレート２５ｂ間の伝熱面積を小さくするための開口２５ｄが形成されている。
【００１８】
図１に示すように、熱交換部２２は、互いに別系統をなす第１通水管（第１系統の通水管）２６と第２通水管（第２系統の通水管）２７を有している。第１通水管２６は給湯用領域２２ａに配置され、第２通水管２７は風呂追焚用領域２２ｂに配置されている。第１通水管２６の入口端２６ｘ（図３参照）には給水管７１が接続され、出口端２６ｙには、給湯管７２が接続されている。給湯管７２の先端には栓７３が設けられている。第２通水管２７の入口端２７ｘ（図３参照）には、浴槽８０からの復路管８１が接続され、第２通水管２７の出口端２７ｙには、浴槽８０への往路管８２が接続されている。復路管８１には、ポンプ８５が設けられている。
【００１９】
次に、上記第１通水管２６，第２通水管２７について詳述する。図２，図３に示すように、第１通水管２６は、Ｙ軸方向に延び第１フィンプレート２５ａおよび保持胴２１ｘを直交して貫通し且つＸ軸方向に間隔をおいて配列された複数（ここでは８本）の直管部２６ａと、これら直管部２６ａの端部を連絡するベント部２６ｂとを有している。同様にして第２通水管２７も、複数（ここでは３本）の直管部２７ａとベント部２７ｂとを有している。直管部２６ａ，２７ａは、それぞれ上下２段をなして配列されている。
【００２０】
説明を簡単にするために、上記第１通水管２６の８本の直管部２６ａのうち、入口端２６ｘに最も近いものを符号２６ａ−ＩＮで示す。この直管部２６ａ−ＩＮは、給湯用領域２２ａにおいて領域２２ａ，２２ｂの境界Ｐの近傍に配置されている。第１通水管２６の入口端２６ｘからの水は、この直管部２６ａ−ＩＮを通り、下段の左から２番目，３番目，４番目の直管部２６ａを順に通り、さらに上段の右から１番目〜４番目の直管部２６ａを順に通って通水管２６の出口端２６ｙに至る。
【００２１】
同様に、上記第２通水管２７の３本の直管部２７ａのうち入口端２７ｘに最も近いものを符号２７ａ−ＩＮで示す。この直管部２７ａーＩＮは、風呂追焚用領域２２ｂではなく、上記境界Ｐを越えて給湯用領域２２ａの配置され、第１フィンプレート２５ａを貫通している。他の２本の直管部２７ａは風呂追焚用領域２２ｂにおいて、第２フィンプレート２５ｂを貫通している。第２通水管２７の入口端２７ｘからの水は、直管部２７ａーＩＮを通り、上段の直管部２７ａ，下段の左側の直管部２７ａを順に経て、出口端２７ｙに至る。
【００２２】
上記境界Ｐの近傍の給湯用領域２２ａでは、第２通水管２７の直管部２７ａ−ＩＮが、第１通水管２６の直管部２６ａーＩＮに沿うようにしてその上部に接して重ねられている。
【００２３】
次に、燃焼装置の作用について説明する。追焚の際には、制御ユニットの制御に基づき、ポンプ８５が駆動して、浴槽８０の水を復路管８１、通水管２７、往路管８２を経て循環させる。これと同時に、主電磁開閉弁５４、補助電磁開閉弁５７を開いて、風呂追焚用燃焼部３２ｂでの燃焼を開始する。その結果、風呂追焚用燃焼部３２ｂの真上に位置する第２フィンプレート２５ｂが主に加熱され、第２通水管２７を通る浴槽８０からの水が加熱される。
【００２４】
上記の風呂追焚の単独燃焼の際、給湯用燃焼部３２ａでは燃焼が実行されないので、熱交換部２２の給湯用領域２２ａには、ファン４０からの燃焼を伴わない空気が通過するだけであり、熱交換部２２の給湯用領域２２ａはほとんど加熱されることはない。しかし、風呂追焚用領域２２ｂに一番近い位置にある第１通水管２６直管部２６ａーＩＮは、例外的に風呂追焚用燃焼部３２ｂの熱のあおりを受けて加熱される可能性がある。しかし、この直管部２６ａーＩＮの上部には、風呂追焚用の第２通水管２７の入口端２７ｘ側の直管部２７ａーＩＮが接して重なっているので、直管部２６ａーＩＮで受けた熱は、比較的低い温度の水が通る直管部２７ａーＩＮへと逃げる。したがって、この直管部２６ａーＩＮ内に滞留している水の温度上昇が抑制され、給湯を開始した場合にも、開栓直後に所望温度より高い湯が出るようなことがなくなる。
【００２５】
他方、栓７３を開くと、給水管７１、通水管２６、給湯管７２に水が流れる。給水管７１に設けられた水流スイッチ（図示しない）がこれを検出し、この検出信号に応答して制御ユニット（図示しない）が、主電磁開閉弁５４、補助電磁開閉弁５６を開くことにより、給湯用燃焼部３２ａでの燃焼制御が開始される。その結果、給湯用燃焼部３２ａの真上に位置する第１フィンプレート２５ａが主に加熱され、これにより第１通水管２６を通る給水管７１からの水が加熱され、湯となって給湯管７２へと供給される。この際、風呂追焚用燃焼部３２ｂでは燃焼が行われないので、熱交換部２２の風呂追焚用領域２２ｂには、ファン４０からの燃焼を伴わない空気が通過するだけであり、基本的には第２通水管２７内の水を加熱しない。
【００２６】
上記の給湯単独燃焼時において、第２通水管２７の入口端２７ｘに最も近い直管部２７ａーＩＮは、給湯用領域２２ａに配置されているが、この直管部２７ａーＩＮの下側には、第１通水管２６の直管部２６ａーＩＮが接しており、この直管部２６ａ−ＩＮを流れる冷たい水が、給湯用燃焼部３２ａの火炎の熱を殆ど吸収してくれる。そのため、この直管部２７ａーＩＮ内の水が高温に加熱されることはなく、また、この直管部２７ａーＩＮ内が空の状態になっていたとしても、この直管部２７ａーＩＮの過熱を防止でき、その保護を確実なものとすることができる。
【００２７】
互いに重なり合った２つの直管部において、給湯側の直管部２６ａ−ＩＮを下に、風呂追焚側の直管部２７ａ−ＩＮを上にしたことについて、再度説明を加える。一般的に２つの直管部を上下に重ねた場合、下側に配置された直管部では燃焼熱を直接受け、その熱の大部分を吸収する。上側の直管部では、下側の直管部から熱の伝導を主に受けるだけである。ここで考慮すべきは次の点である。給湯側の通水管２６は常に水で満たされている。これに対して、浴槽８０が空になっている場合には風呂追焚側の通水管２７から浴槽８０へ水が流れ出てしまうことがあるため、この通水管２７が空の状態になっている可能性がある。風呂追焚の単独燃焼の際には、下側に位置する給湯側の直管部２６ａ−ＩＮが風呂追焚用の燃焼部３２ｂからの燃焼熱を受けるが、この直管部２６ａ−ＩＮには水が満たされているので空焚きにならず、この直管部２６ａ−ＩＮの熱損傷は生じない。しかも、この直管部２６ａ−ＩＮで受けた熱は、この直管部２６ａ−ＩＮに接した風呂追焚側の直管部２７ａ−ＩＮで奪うことができる。給湯の単独燃焼の際には、給湯用燃焼部３２ａでの燃焼熱を下側の給湯側の直管部２６ａ−ＩＮで直接受け、上側の風呂追焚側の直管部２７ａ−ＩＮでは殆ど受けない。しかも、給湯用の直管部２６ａ−ＩＮでは水が流れており、ここで受けた熱を殆ど水が運び去っていくので、風呂追焚側の直管部２７ａ−ＩＮに伝達される熱も少ない。そのため、この直管部２７ａ−ＩＮが空であっても、熱損傷が生じないのである。すなわち、風呂追焚側の直管部２７ａ−ＩＮが下側にある仮定した場合には、それが空の時に熱損傷が生じる可能性があるが、本実施例ではそのような不都合が生じないのである。
【００２８】
上記装置では、給湯と風呂追焚の両者を同時に実行することができるのは勿論である。
【００２９】
上記実施形態において、境界Ｐ近傍で互いに重ねられる通水管２６，２７の直管部は、これら通水管２６，２７の入口端に最も近い直管部２６ａ−ＩＮ，２７ａ−ＩＮの代わりに、入口端から２番目，３番目の直管部２６ａ，２７ａであってもよい。これら２番目，３番目の直管部２６ａ，２７ａを通る水は、最も近い直管部２６ａ−ＩＮ，２７ａ−ＩＮを通る水に比べれば熱の吸収効果は弱いものの、重ねられた直管部からの熱吸収を行えるからである。
【００３０】
図４は、本発明の第２の実施形態を示す。この実施形態では、風呂追焚側の通水管２７の２本の直管部２７ａが、給湯用領域において境界Ｐの近傍で、給湯側の通水管２６の２本の直管部２６ａに重なっている。他の構成は、第１の実施例と同様であるので、図中同番号を付してその詳細な説明を省略する。
【００３１】
上記第１，第２の実施形態では、給湯と風呂追焚に適用したが、給湯と暖房に適用してもよいし、風呂追焚と暖房に適用してもよい。
【００３２】
図５は、本発明の第３の実施形態を示す。この実施形態では、給湯用燃焼部３２ａの隣（追焚用燃焼部３２ｂとは反対側の隣）に暖房用燃焼部３２ｃ（第３燃焼部）が設けられている。これに対応して熱交換部は、暖房用領域２２ｃ（第３領域）を備えている。この暖房用領域２２ｃは、共通フレーム内において、暖房用燃焼部３２ｃの真上で、給湯用領域２２ａの隣（追焚用領域２２ｂとは反対側の隣）に配置されている。共通プレート２５は、これら３つの領域２２ａ〜２２ｃにわたって延びており、この暖房用領域２２ｃに位置する部分が第３フィンプレート２５ｃとなっている。共通プレート２５には、領域２２ａ，２２ｃの境界Ｐ’において開口２５ｄ’が形成されている。熱交換部の暖房用領域２２ｃは、この第３フィンプレート２５ｃを貫く複数（本実施例では３本）の直管部２８ａを含む第３通水管２８（第３系統の通水管）を備えている。この通水管２８の最も入口端に近い直管部２８ａ−ＩＮが、給湯用領域２２ａにおいて、境界Ｐ’近傍の給湯側直管部２６ａに沿い、その上側に接するようにして重ねられている。この直管部２６ａ，２８ａ−ＩＮの重なりによる効果は、直管部２６ａ−ＩＮ，２７ａ−ＩＮの重なりによる効果とほぼ同様であるので、詳細な説明を省略する。
【００３３】
本発明は上記実施形態に制約されず、種々の態様が可能である。例えば給湯，風呂追焚，暖房に限らず他の機能を複数備えたものに適用してもよい。
さらに、用途によっては、互いに重ね合わせた別系統の通水管の直管部を、上記領域の境界上に配置してもよい。
複数の領域のフィンプレートは別体をなし互いに近接して配置されるものであってもよい。
【００３４】
【発明の効果】
以上説明したように、請求項１の発明によれば、熱交換部が複数の燃焼部に対応した複数の領域を有し、これら領域にそれぞれ別系統の通水管を貫通させているので、基本的には、ほとんど通水管毎に相互干渉がない熱交換を行うことができる。また、第２領域での熱交換が実行されている時に、第１，第２領域の境界近傍の第１系統の直管部が第２燃焼部からの熱を受けても、この直管部には第２系統の通水管の直管部が長手方向に沿って接していて、この第２系統の直管部を流れる水により第１系統の直管部で受けた熱を奪ってくれる。その結果、この第１系統の直管部内の水が高温に加熱されることがないので、第１領域での熱交換再開時点で、第１通水管からの湯が高温で供給されるのを防止することができる。
また、給湯用の第１領域内にて第１、第２の系統の直管部を接するようにしたので、第２領域での熱交換時に、給湯用の第１系統の直管部が第１燃焼部から受ける熱が比較的小さくなり、給湯初期に高温の湯が直接ユーザに触れるのより一層確実に防止できる。しかも、互いに接した２つの直管部のうち、第１系統の直管部が下側に配置されているので、第１領域での熱交換時には、第１燃焼部での燃焼熱をこの第１系統の直管部で殆ど吸収することができ、上側の第２系統の直管部の加熱を防止できる。その結果、この第２系統の直管部を高い燃焼熱から保護することができる。
【００３６】
請求項２の発明によれば、第２燃焼部，熱交換部の第２領域が風呂追焚に用いられており、給湯用の第１領域での熱交換時に第２通水管が空になることがある。その場合でも、上記給湯用の第１領域にある第２系統の通水管の直管部の熱損傷を確実に防止することができる。
【００３７】
請求項３の発明によれば、熱交換部が複数の燃焼部に対応した複数の領域を有し、これら領域にそれぞれ別系統の通水管を貫通させているので、基本的には、ほとんど通水管毎に相互干渉がない熱交換を行うことができる。また、第２領域での熱交換が実行されている時に、第１，第２領域の境界近傍の第１系統の直管部が第２燃焼部からの熱を受けても、この直管部には第２系統の通水管の直管部が長手方向に沿って接していて、この第２系統の直管部を流れる水により第１系統の直管部で受けた熱を奪ってくれる。その結果、この第１系統の直管部内の水が高温に加熱されることがないので、第１領域での熱交換再開時点で、第１通水管からの湯が高温で供給されるのを防止することができる。
また、互いに接した直管部において、第２系統の直管部が、第２系統の通水管の入口端に最も近い直管部であるので、最も冷たい水で、第１系統の直管部から熱を奪うことができ、上記効果をより顕著にすることができる。
【００３８】
請求項４の発明によれば、互いに接した直管部において、第１系統の直管部が、第１系統の通水管の入口端に最も近い直管部であるので、最も冷たい水で、第２系統の直管部から熱を奪うことができ、請求項３の発明の効果をより顕著にすることができる。
【００３９】
請求項５の発明によれば、熱交換部が複数の燃焼部に対応した複数の領域を有し、これら領域にそれぞれ別系統の通水管を貫通させているので、基本的には、ほとんど通水管毎に相互干渉がない熱交換を行うことができる。また、第２領域での熱交換が実行されている時に、第１，第２領域の境界近傍の第１系統の直管部が第２燃焼部からの熱を受けても、この直管部には第２系統の通水管の直管部が長手方向に沿って接していて、この第２系統の直管部を流れる水により第１系統の直管部で受けた熱を奪ってくれる。その結果、この第１系統の直管部内の水が高温に加熱されることがないので、第１領域での熱交換再開時点で、第１通水管からの湯が高温で供給されるのを防止することができる。
また、第１，第３領域の境界においても上記と同様の効果を得ることができる。
【図面の簡単な説明】
【図１】本発明の第１の実施形態を示す燃焼装置の概略構成を示すシステム図である。
【図２】フィンプレート及びそれを貫通する通水管の直管部を示す正面図である。
【図３】熱交換部の平断面図である。
【図４】本発明の第２の実施形態を示す図２相当図である。
【図５】本発明の第２の実施形態を示す図２相当図である。
【符号の説明】
２２  熱交換部
２２ａ  給湯用領域（第１領域）
２２ｂ  風呂追焚用領域（第２領域）
２２ｃ  暖房用領域（第３領域）
２５ａ，２５ｂ，２５ｃ  フィンプレート
２６  第１通水管（第１系統の通水管）
２６ａ  直管部
２６ａ−ＩＮ  入口端に最も近い直管部
２６ｘ  入口端
２７  第２通水管（第２系統の通水管）
２７ａ  直管部
２７ａ−ＩＮ  入口端に最も近い直管部
２７ｘ  入口端
２８  第３通水管（第３系統の通水管）
２８ａ  直管部
２８ａ−ＩＮ  入口端に最も近い直管部
３２ａ  給湯用燃焼部（第１燃焼部）
３２ｂ  風呂追焚用燃焼部（第２燃焼部）
３２ｃ  暖房用燃焼部（第３燃焼部）
７１  給水管
７２  給湯管
８０  浴槽
８１  往路管
８２  復路管
Ｐ  第１領域と第２領域の境界
Ｐ’  第１領域と第３領域の境界
【図１】
0003655690.tif 000002
【図２】
0003655690.tif 000003
【図３】
0003655690.tif 000004
【図４】
0003655690.tif 000005
【図５】
0003655690.tif 000006